(57)【要約】【課題】本発明は、後処理装置での用紙の追突を防止する画像形成装置に関する。【解決手段】画像形成装置１は、後処理装置１００で後処理を行わせる場合に、画像形成する先行紙に関する情報を不揮発ＲＡＭに記憶し、後行紙に関する情報と当該先行紙の情報に基づいて、当該後行紙をレジストローラ１２の位置で停止させる後行紙停止処理を行う必要があるか否かを判断し、当該後行紙停止処理を行う場合には、必要な待ち時間を設定して当該待ち時間だけ当該後行紙を停止させる。したがって、後処理装置１００の巻き付き機構１０１で巻付きを行わない大サイズの転写紙Ｐの後に巻付きを行う小サイズの転写紙Ｐを搬送して、後処理装置１００でステープル処理等の転写紙Ｐを一旦停止させて後処理を行うときに、後処理装置１００内で転写紙Ｐが追突するのを適切に防止することができる。【選択図】          図１
2007052181.tif 000002
【特許請求の範囲】
【請求項１】
少なくとも用紙の一旦停止を伴う後処理を行うとともに、所定の小サイズの用紙を巻き付けて先行紙に後行紙が追突するのを防止する巻き付き機構を備えた後処理装置が接続され、用紙が所定の書込要求位置に到達すると、感光体上への静電潜像の書き込みを要求する書込要求を発生し、当該用紙がレジストローラ位置に到達すると、一旦停止させた後、前記感光体上の前記静電潜像の現像された現像剤像とのタイミング調整を行って当該転写位置に当該用紙を搬送し、当該現像剤像を当該用紙に転写して画像形成し、当該画像形成した用紙を前記後処理装置に排出する画像形成装置であって、前記先行紙に関する情報を記憶手段に記憶し、前記後行紙に関する情報と当該記憶手段の先行紙の情報に基づいて、当該後行紙を前記レジストローラ位置で停止させる後行紙停止処理を行う必要があるか否か判断し、当該後行紙停止処理を行う場合には、必要な待ち時間を設定して当該待ち時間だけ当該後行紙を停止させることを特徴とする画像形成装置。
【請求項２】
前記画像形成装置は、前記先行紙が前記レジストローラを通過する時点で、当該先行紙の情報を前記記憶手段に格納するとともに、前記必要な待ち時間を計時する待ち時間タイマをセットし、前記後行紙が前記書込要求位置に到達すると、当該後行紙に関する情報と当該記憶手段の先行紙の情報に基づいて、前記後行紙停止処理を行う必要があるか否か判断し、当該後行紙停止処理を行う場合には、前記待ち時間タイマをスタートさせて、前記待ち時間を計時する間、当該後行紙を停止させることを特徴とする請求項１記載の画像形成装置。
【請求項３】
前記画像形成装置は、前記先行紙が前記レジストローラを通過する時点で、当該先行紙の情報を前記記憶手段に格納するとともに、当該先行紙がレジストローラを通過してからの経過時間を計時する経過時間タイマをスタートさせ、前記後行紙が前記書込要求位置に到達すると、当該後行紙に関する情報と当該記憶手段の先行紙の情報に基づいて、前記後行紙停止処理を行う必要があるか否か判断し、当該後行紙停止処理を行う場合には、前記経過時間タイマの計時結果に基づいて必要な待ち時間を設定して、当該待ち時間だけ当該後行紙を停止させることを特徴とする請求項１記載の画像形成装置。
【請求項４】
前記画像形成装置は、前記先行紙が前記レジストローラを通過する時点で、当該先行紙の情報を前記記憶手段に格納するとともに、当該先行紙がレジストローラを通過してからの経過時間を計時する経過時間タイマをスタートさせ、前記後行紙が前記書込要求位置に到達すると、当該記憶手段の先行紙の情報に基づいて、前記後行紙停止処理を行う必要があるか否か判断し、当該後行紙停止処理を行う場合には、当該後行紙に対して必要な待ち時間をセットして、当該待ち時間から前記経過時間タイマの計時する経過時間を減算した差時間だけ当該後行紙を停止させることを特徴とする請求項１記載の画像形成装置。
【請求項５】
前記画像形成装置は、前記待ち時間または前記差時間だけ前記書込要求の発生を遅らせることで、前記後行紙停止処理での前記後行紙の停止を行うことを特徴とする請求項１から請求項４のいずれかに記載の画像形成装置。
【請求項６】
前記画像形成装置は、前記後処理装置以外の排紙場所へ前記画像形成済みの用紙を排紙する他排紙口を備え、前記先行紙を当該他排紙口へ排紙する場合には、前記後行紙停止処理を中止することを特徴とする請求項１から請求項４のいずれかに記載の画像形成装置。
【発明の詳細な説明】
【技術分野】
【０００１】
本発明は、画像形成装置に関し、詳細には、後処理装置での用紙の追突を防止する画像形成装置に関する。
【背景技術】
【０００２】
複写装置、プリンタ等の画像形成装置は、多機能化してきており、大量の画像を記憶する記憶装置を備え、部毎に画像形成する画像形成装置が主流となってきているとともに、画像形成装置の多機能化に伴って、記録出力された用紙に対してステープル処理、シフトソート処理等の後処理を行う後処理装置を備えた画像形成装置が出現している（特許文献１等参照）。
【０００３】
そして、画像形成装置は、給紙部から転写紙を画像形成部に搬送路上を搬送するが、途中に転写紙と感光体ドラム上の画像との位置調整を行うためのレジストローラが配設されており、この搬送路上を搬送される転写紙を複数の用紙センサで検出している。そして、画像形成装置は、レジストローラよりも所定距離だけ搬送方向手前の書込要求ポイントに転写紙が搬送されてくると、回転駆動される感光体ドラムへの静電潜像の書込要求を行って感光体ドラムへの静電潜像の書き込みを行い、当該感光体ドラム上の静電潜像にトナーを供給して現像することでトナー画像を形成する現像処理を行う。その後、転写紙がレジストローラに搬送されてくると、画像形成装置は、転写紙を、レジストローラで一旦停止させた後、感光体ドラム上のトナー画像との位置合わせを行うタイミング調整を行って送り出し、当該送り出された転写紙に転写位置で感光体上のトナー画像を転写する。画像形成装置は、トナー画像の転写された転写紙を定着部で定着させた後、排紙口から排紙トレイ上に排出したり、接続されている後処理装置に送り出す。
【０００４】
そして、後処理装置は、その機能としてシフトソート処理、ステープル処理等を行うが、このようなシフトソート処理やステープル処理を行うために、一旦転写紙を停止させる動作が入るため、Ａ４横、ＬＴ横、Ｂ５横等の使用頻度の多い小サイズ紙については、生産性を損なわないための巻き付き機構が設けられている。この巻き付け機構は、通常は、転写紙を巻き付き機構下部の搬送系路の短い通常搬送路を通過させるが、シフトソート処理またはステープル処理を行う小サイズ紙については、２部目以降の１枚目を巻き付き機構に巻き付けて搬送路の長い上搬送部を通過させて、前の部の最終紙との間で紙間を空けることで、後の部の最初の転写紙が前の部の最後の転写紙に衝突することを防止して、シフトソート処理やステープル処理等を支障なく行えるようにしている。
【０００５】
【特許文献１】特開２００４−３０６５０９号公報
【発明の開示】
【発明が解決しようとする課題】
【０００６】
しかしながら、上記従来技術にあっては、後処理装置は、巻き付き機構で、転写紙を巻き付けることによって、直前のシフトソート処理やステープル処理にかかる時間が終了した後、当該巻き付けた転写紙を下流側に搬送することができるが、巻き付き機構としてそれ自体で使用可能なスペースが限られており、巻き付き対象の転写紙サイズが、小サイズに限られているため、大サイズ（例えば、Ａ３縦、ＤＬＴ縦、Ｂ４縦等）の転写紙の後に、小サイズ（例えば、Ａ４横、ＬＴ横、Ｂ５横）の転写紙が入る場合（サイズ混載動作の場合）には、大サイズ転写紙の通紙中に次の小サイズ転写紙の巻き付き動作を行うために、小サイズ転写紙の搬送を待たせる必要がある。
【０００７】
ところが、従来の画像形成装置にあっては、後処理装置を接続して使用する場合にも、画像形成装置内において必要な待ち時間を設けておらず、大サイズの転写紙の後に小サイズの転写紙を後処理装置に送り込むと、後処理装置内で転写紙が追突して、ジャムが発生する原因となっていた。
【０００８】
そこで、本発明は、後処理装置での用紙の追突を適切に防止し、後処理装置での用紙の搬送性能の良好な画像形成装置を提供することを目的としている。
【課題を解決するための手段】
【０００９】
請求項１記載の発明の画像形成装置は、少なくとも用紙の一旦停止を伴う後処理を行うとともに、所定の小サイズの用紙を巻き付けて先行紙に後行紙が追突するのを防止する巻き付き機構を備えた後処理装置が接続され、用紙が所定の書込要求位置に到達すると、感光体上への静電潜像の書き込みを要求する書込要求を発生し、当該用紙がレジストローラ位置に到達すると、一旦停止させた後、前記感光体上の前記静電潜像の現像された現像剤像とのタイミング調整を行って当該転写位置に当該用紙を搬送し、当該現像剤像を当該用紙に転写して画像形成し、当該画像形成した用紙を前記後処理装置に排出する画像形成装置であって、前記先行紙に関する情報を記憶手段に記憶し、前記後行紙に関する情報と当該記憶手段の先行紙の情報に基づいて、当該後行紙を前記レジストローラ位置で停止させる後行紙停止処理を行う必要があるか否かを判断し、当該後行紙停止処理を行う場合には、必要な待ち時間を設定して当該待ち時間だけ当該後行紙を停止させることにより、上記目的を達成している。
【００１０】
この場合、例えば、請求項２に記載するように、前記画像形成装置は、前記先行紙が前記レジストローラを通過する時点で、当該先行紙の情報を前記記憶手段に格納するとともに、前記必要な待ち時間を計時する待ち時間タイマをセットし、前記後行紙が前記書込要求位置に到達すると、当該後行紙に関する情報と当該記憶手段の先行紙の情報に基づいて、前記後行紙停止処理を行う必要があるか否か判断し、当該後行紙停止処理を行う場合には、前記待ち時間タイマをスタートさせて、前記待ち時間を計時する間、当該後行紙を停止させるものであってもよい。
【００１１】
また、例えば、請求項３に記載するように、前記画像形成装置は、前記先行紙が前記レジストローラを通過する時点で、当該先行紙の情報を前記記憶手段に格納するとともに、当該先行紙がレジストローラを通過してからの経過時間を計時する経過時間タイマをスタートさせ、前記後行紙が前記書込要求位置に到達すると、当該後行紙に関する情報と当該記憶手段の先行紙の情報に基づいて、前記後行紙停止処理を行う必要があるか否か判断し、当該後行紙停止処理を行う場合には、前記経過時間タイマの計時結果に基づいて必要な待ち時間を設定して、当該待ち時間だけ当該後行紙を停止させるものであってもよい。
【００１２】
さらに、例えば、請求項４に記載するように、前記画像形成装置は、前記先行紙が前記レジストローラを通過する時点で、当該先行紙の情報を前記記憶手段に格納するとともに、当該先行紙がレジストローラを通過してからの経過時間を計時する経過時間タイマをスタートさせ、前記後行紙が前記書込要求位置に到達すると、当該記憶手段の先行紙の情報に基づいて、前記後行紙停止処理を行う必要があるか否か判断し、当該後行紙停止処理を行う場合には、当該後行紙に対して必要な待ち時間をセットして、当該待ち時間から前記経過時間タイマの計時する経過時間を減算した差時間だけ当該後行紙を停止させるものであってもよい。
【００１３】
また、例えば、請求項５に記載するように、前記画像形成装置は、前記待ち時間または前記差時間だけ前記書込要求の発生を遅らせることで、前記後行紙停止処理での前記後行紙の停止を行うものであってもよい。
【００１４】
さらに、例えば、請求項６に記載するように、前記画像形成装置は、前記後処理装置以外の排紙場所へ前記画像形成済みの用紙を排紙する他排紙口を備え、前記先行紙を当該他排紙口へ排紙する場合には、前記後行紙停止処理を中止するものであってもよい。
【発明の効果】
【００１５】
本発明の画像形成装置によれば、巻き付き機構を備えた後処理装置に画像形成済みの用紙を搬送して、当該後処理装置で後処理を行わせる場合に、後行紙に関する情報と先行紙に関する情報に基づいて、当該後行紙をレジストローラ位置で停止させる後行紙停止処理を行う必要があるか否かを判断し、当該後行紙停止処理を行う場合には、必要な待ち時間を設定して当該待ち時間だけ当該後行紙を停止させるので、巻き付き機構で巻き付きを行わない大サイズの用紙の後に巻き付きを行う小サイズの用紙を搬送して、後処理装置でステープル処理やシフトソート等の用紙を一旦停止させて後処理を行うときに、後処理装置内での用紙の追突を適切に防止することができ、用紙の搬送性能を向上させて、利用性を向上させることができる。
【発明を実施するための最良の形態】
【００１６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１７】
図１〜図５は、本発明の画像形成装置の第１実施例を示す図であり、図１は、本発明の画像形成装置の第１実施例を適用した画像形成装置１の搬送系及び後処理装置１００の用紙入口部分の概略構成図である。
【００１８】
図１において、画像形成装置１は、搬送路１０に沿って給紙部２０、手差し給紙部２１、ＬＣＴ２２が配設されており、搬送路１０の上部には、画像形成部３０が配設されている。給紙部２０には、複数の給紙段（図１では、４段）２３ａ〜２３ｄが設けられている。各給紙段２３ａ〜２３ｄには、それぞれ異なる紙サイズの転写紙Ｐを複数枚収納可能であり、各給紙段２３ａ〜２３ｄは、収納する転写紙Ｐを送り出しローラ２４ａ〜２４ｄで搬送路１０に送り出す。また、手差し給紙部２１は、セットされた転写紙Ｐを送り出しローラ２５で搬送路１０に送り出し、ＬＣＴ２２は、セットされている転写紙Ｐを送り出しローラ２６で搬送路１０に送り出す。
【００１９】
搬送路１０には、複数の搬送ローラ群１１ａ〜１１ｄ、レジストローラ１２及び各給紙段２３ａ〜２３ｄから送り出されてきた転写紙Ｐを検出する用紙センサ（例えば、反射型フォトセンサ）１３ａ〜１３ｄとレジストローラ１２に搬送される転写紙Ｐを検出する用紙センサ１４が配設されており、また、ＬＴＣ２２から搬送路１０に搬送される転写紙Ｐを検出する用紙センサ１５が配設されている。搬送路１０では、給紙部２０の各給紙段２３ａ〜２３ｄから送り出されてきた転写紙Ｐ、手差し給紙部２１から送り出されてきた転写紙Ｐ及びＬＣＴ２２から送り出されてきた転写紙Ｐを搬送ローラ群１１ａ〜１１ｄによって順次搬送してレジストローラ１２に搬送し、この給紙部２０の各給紙段２３ａ〜２３ｄから送り出されてきた転写紙Ｐ、手差し給紙部２１から送り出されてきた転写紙Ｐ及びＬＣＴ２２から送り出されてきた転写紙Ｐをそれぞれ対応する位置の用紙センサ１３ａ〜１３ｄで検出し、また、ＬＣＴ２２から送り出される転写紙Ｐを用紙センサ１５で検出する。
【００２０】
そして、画像形成装置１は、搬送路１０上をレジストローラ１２に搬送される転写紙Ｐが用紙センサ１３ａで検出して、書込要求ポイント（書込要求位置）Ｐｗに到達すると、書込要求を発生させ、レジストローラ１２の位置であるレジストスタートポイントＰｒに搬送される転写紙Ｐを用紙センサ１４で検出する。
【００２１】
画像形成部３０は、感光体ドラム３１、転写ベルト３２、定着部３３、１ビン排紙部３４、本体排紙口３５へ転写紙Ｐを排紙する排紙ローラ３６、３７、画像形成部３０の側部に配設されている両面ユニット５０にへ転写紙Ｐを送り込む搬送ローラ３８及び後処理装置１００に転写紙Ｐを送り込む排紙ローラ３９等を備えているとともに、図示しない帯電部、光書込部、現像ユニット、クリーニング等を備えており、また、定着部３３の出口で転写紙Ｐを検出する定着出口用紙センサ４０、搬送ローラ３６の手前で転写紙Ｐを検出する排紙センサ４１、搬送ローラ３６から搬送ローラ３７に搬送される転写紙Ｐを搬送ローラ３７の手前で検出する中継用紙センサ４２、搬送ローラ３６から搬送ローラ３９に搬送される転写紙Ｐを検出する中継用紙センサ４３等が配設されている。また、１ビン排紙部３４には、排紙ローラ３４ａ、３４ｂ及び入口側の搬送ローラ３４ａから出口側の搬送ローラ３４ｂに送られる転写紙Ｐを検出する１ビン排紙センサ３４ｃが配設されており、両面ユニット５０は、反転ローラ対５１、複数の搬送ローラ５２及び両面入口用紙センサ５３と両面出口用紙センサ５４等が配設されている。
【００２２】
画像形成装置１は、図１の反時計方向に回転駆動される感光体ドラム３１を帯電部で一様に帯電させた後、上記書込要求ポイントＰｗで書込要求が発生すると、光書込部から画像データで変調された書込光を、書込ポイントＰｋで感光体ドラム３１に照射して静電潜像を形成し、静電潜像の形成された感光体ドラム３１に現像部からトナーを供給して現像することでトナー画像を形成して、トナー画像の形成された感光体ドラム３１を転写ベルト３２へ回転移動させる。
【００２３】
一方、上記レジストローラ１２は、転写紙ＰがレジストスタートポイントＰｒに到達すると、感光体ドラム３１上のトナー画像との位置合わせを行うためにタイミング調整した後、転写紙Ｐを感光体ドラム３１と転写ベルト３２との間に送り出す。
【００２４】
画像形成装置１は、トナー画像の形成された感光体ドラム３１をさらに回転させて、転写ベルト３２との対向位置である転写位置Ｐｔで、転写ベルト３２によって感光体ドラム３１上のトナー画像を上記感光体ドラム３１と転写ベルト３２との間に送り込まれてきた転写紙Ｐに転写する。
【００２５】
転写ベルト３２は、一対のローラ３２ａ、３２ｂに張り渡されており、ローラ３２ａ、３２ｂが図外のモータによって回転駆動されることで、図１の時計方向に回転駆動される。転写ベルト３２は、上述のように、転写紙Ｐを搬送しつつ感光体ドラム３１上のトナー画像を転写紙Ｐに転写させて、トナー画像の転写された転写紙Ｐを定着部３３に送り出す。定着部３３は、トナー画像の転写された転写紙Ｐを加熱しつつ搬送して、トナー画像を転写紙Ｐに定着させる。
【００２６】
上記１ビン排紙部３４は、定着の完了した転写紙Ｐが送り込まれてくると、搬送ローラ３４ａ、３４ｂで１ビン排紙トレイ３４ｄ上に排出するとともに、排出する転写紙Ｐを１ビン排紙センサ３４ｃで検出する。
【００２７】
また、画像形成装置１は、定着の完了した転写紙Ｐを本体排紙口３５から本体排紙トレイ３５ａ上に排出するには、搬送ローラ３６及び搬送ローラ３７で順次転写紙Ｐを搬送して、本体排紙口３５から本体排紙トレイ３５ａ上に排出するとともに、排出する転写紙Ｐを排紙センサ４１及び中継センサ４２で検出する。さらに、画像形成装置１は、定着の完了した転写紙Ｐを反転させて裏面にも画像形成を行うには、搬送ローラ３８で両面ユニット５０に送り込み、両面ユニット５０は、この送り込まれてきた転写紙Ｐを両面入口用紙センサ５３で検出して、反転ローラ対５１で転写紙Ｐを表裏面反転させた後、搬送ローラ５２で再度搬送路１０の書込要求ポイントＰｗ部分に送り出すとともに、この送り出す転写紙Ｐを両面出口用紙センサ５４で検出する。画像形成装置１は、両面ユニット５０で反転された転写紙Ｐを再度レジスト１２でタイミング調整した後、転写ベルト３２と感光体ドラム３１との間に送って裏面側にトナー画像を転写させて画像形成する。
【００２８】
そして、画像形成装置１は、トナー画像の転写と定着の完了した転写紙Ｐに対してステープル処理、シフトソート処理等の後処理を行う場合には、搬送ローラ３６及び排紙ローラ３９で転写紙Ｐを後処理用排出口４４へ搬送して、後処理用排出口４４から後処理装置１００に送り込む。
【００２９】
後処理装置１００は、画像形成装置１で画像形成された転写紙Ｐに対する後処理として、少なくともステープル処理とシフトソート処理を行い、これらの処理動作を行うのに必要な機構を内蔵しているとともに、巻き付き機構１０１を備えている。
【００３０】
後処理装置１００は、画像形成装置１からの情報に基づいて、画像形成装置１から送られてくる転写紙Ｐが所定の小サイズよりも大きいサイズの転写紙Ｐ（以下、必要に応じて、大サイズ紙という。）であると、巻き付き機構１０１の下部の搬送系路の短い通常搬送路１０２を通過させ、シフトソート処理またはステープル処理を行うとともに転写紙Ｐのサイズが所定の小サイズよりも小さいサイズの転写紙Ｐ（以下、必要に応じて、小サイズ紙という。）については、２部目以降の１枚目の転写紙Ｐを巻き付き機構１０１に巻き付けて搬送路の長い上搬送部１０３を通過させて、前の部の最終の転写紙Ｐ（以下、必要に応じて、最終紙という。）との間で紙間を空けることで、後の部の最初の転写紙Ｐが前の部の最後の転写紙Ｐに衝突することを防止して、シフトソート処理またはステープル処理を支障なく行えるようにする。
【００３１】
そして、画像形成装置１は、図２に示すようにブロック構成されており、制御部６０、操作部６１、ＨＤＤコントローラ６２、ＨＤＤ（ハードディスク）６３、画像処理部６４、読取部６５、書込部６６、画像用ＲＡＭ（Random Access Memory）６７、ＮＣＵ（Network Control Unit）６８、ＦＣＵ（ファクシミリコントロールユニット）６９、各種センサ部７０及び各種負荷部７１等を備えている。制御部６０は、ＣＰＵ（Central Processing Unit ）８１、ＲＯＭ（Read Only Memory）８２、ＲＡＭ（Random Access Memory）８３、不揮発ＲＡＭ８４及びＩＯ制御部８５等を備えており、制御部６０内の各部は、ＣＰＵ８１が、データバス８６とアドレスバス８７とで接続され、操作部６１及びＨＤＤコントローラ６２と直接接続され、画像処理部６４、ＮＣＵ６８及びＦＣＵ６９とは、データバス８６とアドレスバス８７またはアドレスバス８７で接続されている。
【００３２】
ＲＯＭ８２には、画像形成装置１の基本処理プログラム及び後述する後行紙停止処理を伴う用紙搬送制御処理プログラム等の各種プログラムが格納されているとともに、これらの基本処理プログラム及び後行紙停止処理を伴う用紙搬送制御処理プログラム等を実行するのに必要な各種データやシステムデータ等が格納されている。
【００３３】
ＣＰＵ８１は、ＲＡＭ８３をワークメモリとして利用しつつ、ＲＯＭ８２内のプログラムに基づいて画像形成装置１の各部を制御し、画像形成装置１としての基本処理を実行するとともに、後述する後行紙停止処理を伴う用紙搬送制御処理を実行する。
【００３４】
不揮発ＲＡＭ（記憶手段）８４は、画像形成装置１の電源がオフの場合にも記憶内容を保持し、制御、タイミング等の調整値及び登録された複写モード設定等、特に、後述する後行紙停止処理を伴う用紙搬送制御処理で必要な各種情報、例えば、先行紙に関する紙サイズ、南部目の何枚目であるかの情報、後処理装置１００での後処理の要否と後処理の内容等の情報を格納する。
【００３５】
ＩＯ制御部８５には、用紙センサ、ドアセンサ、ヒーター温度センサ等の各種センサ部７０とモータ類等の各種負荷部７１が接続されており、ＩＯ制御部８５は、これらの各種センサ部７０からの信号を受け取って、受け取った信号をＣＰＵ８１に出力するとともに、ＣＰＵ８１からの制御信号を負荷部７１に出力して負荷部７１の動作を制御する。
【００３６】
操作部６１は、テンキーやスタートキー及びファンクションキー等の各種操作キーを備えるとともに、ディスプレイ（例えば、液晶ディスプレイ）を備え、操作キーからは、送信操作、ソートコピー操作、ステープルコピー操作等の各種命令が入力操作され、ディスプレイには、画像形成装置１からオペレータに通知する各種情報を表示する。
【００３７】
ＨＤＤコントローラ６２は、ＣＰＵ８１から受信したコマンドに応じた動作設定を行い、ＨＤＤ６３のステータスのリード、データ転送を行なう。また、ＨＤＤコントローラ６２は、状態を知らせるためのステータス情報をＣＰＵ８１に送信する。
【００３８】
ＨＤＤ６３は、大容量の記憶装置であり、画像データを２次記憶する２次記憶装置として使用される。
【００３９】
読取部６５は、例えば、ＣＣＤ（Charge Coupled Device ）を利用したラインイメージスキャナ等が用いられており、一般にＡＤＦ（Auto Document Feeder）を備えている。ＡＤＦには、複数枚の原稿がセットされ、ＡＤＦは、セットされた原稿を１枚ずつ読取部６５の原稿読取位置（コンタクトガラス上等の原稿読取位置）に送給する。読取部６５は、ＡＤＦから搬送されてきた原稿を走査し、原稿の画像を所定の解像度で読み取る。
【００４０】
書込部６６は、上記搬送路１０、給紙部２０、画像形成部３０等を総称したものであり、ＮＣＵ６８やＦＣＵ６９を介して受信した受信画像データや読取部６５で読み取られた原稿の画像データを、上述のように、転写紙Ｐに記録出力するとともに、各種レポートを記録紙に記録出力する。
【００４１】
ＮＣＵ６８には、ＬＡＮ（Local Area Network）等のネットワークが接続され、ネットワークには、複数のパーソナルコンピュータやプリンタ等の外部端末が接続されている。ＮＣＵ６８は、制御部６０のＣＰＵ８１の制御下で、外部端末との間でコマンドを交換して制御コマンド及び画像データの授受等を行う。
【００４２】
ＦＣＵ６９には、回線、例えば、公衆電話回線が接続されており、ＦＣＵ６９は、回線の捕捉、発信先電話番号である選択信号の送出、着信の検出等を行って、回線からの発呼に対して自動着呼し、回線への自動発呼処理を行うとともに、相手ファクシミリ装置との間でファクシミリ制御信号を交換し、ファクシミリ通信手順を実行する。
【００４３】
画像処理部６４は、操作部６１の設定モードに応じて、読取部６５の読み取った原稿の画像データをＭＴＦ（Modulation Transfer Function）補正処理、変倍処理、画質補正処理等を行った後、画像用ＲＡＭ６７及びＨＤＤコントローラ６２を介してＨＤＤ６３に蓄積する。ここで、画像データを画像用ＲＡＭ６７とＨＤＤ６３の両方に蓄積するのは、画像用ＲＡＭ６７が、Ａ４原稿５枚程度の記憶容量しか有しておらず、コピー開始時には原稿の枚数は分からないので、複数部のソートコピーを行う場合に、原稿が５枚を超えてしまうと、２部目以降のコピー動作を行うときに、ＨＤＤ６３から画像データを画像データ用ＲＡＭ３３にコピーしてコピー動作を行うことで、ソート動作を実現するためである。また、転写紙Ｐにジャムが発生した場合のリカバリ動作にも、ＨＤＤ６３に格納した画像データを使用する。
【００４４】
次に、本実施例の作用を説明する。本実施例の画像形成装置１は、画像形成の完了した転写紙Ｐを後処理装置１００で複数部にステープル処理またはシフトソート処理を行う場合に、先行の転写紙Ｐに後行の転写紙Ｐが追突してジャムが発生するのを未然に防止する。
【００４５】
すなわち、画像形成の完了した転写紙Ｐを後処理装置１００で複数部にステープル処理やシフトソート処理を行う場合、上述のように、一旦転写紙Ｐを停止させる動作が入るため、Ａ４横、ＬＴ横、Ｂ５横等の使用頻度の多い小サイズ紙については、２部目以降の１枚目を巻き付き機構１０１に巻き付けて搬送路の長い上搬送部１０３を通過させて、前の部の最終紙との間で紙間を空けることで、後の部の最初の転写紙が前の部の最後の転写紙に追突することを防止して、シフトソート処理またはステープル処理を支障なく行えるようにしている。
【００４６】
そして、巻き付き機構１０１としてそれ自体で使用可能なスペースが限られており、巻き付き対象の転写紙Ｐのサイズが、小サイズに限られているため、大サイズ（例えば、Ａ３縦、ＤＬＴ縦、Ｂ４縦等）の転写紙Ｐの後に、小サイズ（例えば、Ａ４横、ＬＴ横、Ｂ５横等）の転写紙Ｐが入る場合（サイズ混載動作の場合）には、大サイズ転写紙Ｐの通紙中に次の小サイズ転写紙Ｐの巻き付き動作を行うために、小サイズ転写紙Ｐの搬送を待たせる必要がある。
【００４７】
ところが、後処理装置１００を接続して使用する場合に、画像形成装置１で必要な待ち時間を設けないと、後処理装置１００内において、転写紙Ｐの追突が発生し、ジャムが発生する原因となる。
【００４８】
そこで、本実施例の画像形成装置１では、適切な待ち時間を設けている。すなわち、画像形成装置１は、先行の転写紙Ｐ（以下、必要に応じて、先行紙という。）に対して、図３に示すような用紙搬送制御処理を行い、後行の転写紙Ｐ（以下、必要に応じて、後行紙という。）に対して、図４に示すような用紙搬送制御処理を行う。
【００４９】
すなわち、画像形成装置１は、先行紙に対しては、図３に示すように、先行紙がレジストスタートポイントＰｒに到達すると（ステップＳ１０１）、ＣＰＵ８１が、先行紙が大サイズ紙（例えば、Ａ３縦、ＤＬＴ縦、Ｂ４縦等）であり、かつ、操作部６１での設定が後処理装置１００でシフトソート処理またはステープル処理を行う設定、すなわち、シフトソート処理またはステープル処理を行うために後処理装置１００への排紙であるかをチェックする（ステップＳ１０２）。
【００５０】
ステップＳ１０２で、少なくとも、小サイズ紙（例えば、Ａ４横、ＬＴ横、Ｂ５横等）であるか、操作部６１での設定が後処理装置１００でシフトソート処理やステープル処理を行う設定でないときには、ＣＰＵ８１は、時間調整のためのタイマセットを行うことなく、そのままレジストスタートを行って、処理を終了する（ステップＳ１０５）。
【００５１】
ステップＳ１０２で、先行紙が大サイズ紙であり、かつ、後処理装置１００でシフトソート処理またはステープル処理を行う設定であると、ＣＰＵ８１は、当該先行紙が２部目以降の１枚目の転写紙Ｐであるかをチェックし（ステップＳ１０３）、先行紙が２部目以降の１枚目の転写紙Ｐでないときには、後処理装置１００での転写紙Ｐの追突はないと判断して、レジストスタートを行って、処理を終了する（ステップＳ１０５）。
【００５２】
ステップＳ１０３で、先行紙が２部目以降の１枚目の転写紙Ｐであると、ＣＰＵ８１は、当該先行紙の情報（用紙サイズ等）を不揮発ＲＡＭ８４に格納するとともに、巻き付きタイマをセットし（ステップＳ１０４）、レジストスタートを行って、処理を終了する（ステップＳ１０５）。
【００５３】
そして、画像形成装置１は、後行紙に対しては、図４に示すように、後行紙が図１の書込要求ポイントＰｗに到達すると（ステップＳ２０１）、ＣＰＵ８１が、当該後行紙（自身）がステープル処理またはシフトソート処理を行う転写紙Ｐであるかチェックし（ステップＳ２０２）、ステープル処理とシフトソート処理のいずれをも行わない場合には、後行紙が先行紙に追突するおそれがないため、書込要求を送出して、処理を終了する（ステップＳ２０８）。
【００５４】
ステップＳ２０２で、後行紙がステープル処理またはシフトソート処理を行う転写紙Ｐであるときには、ＣＰＵ８１は、当該後行紙が２部目以降の２枚目の転写紙Ｐであるかチェックし（ステップＳ２０３）、後行紙が２部目以降の２枚目の転写紙Ｐでないときには、当該後行紙が先行紙に追突するおそれがないため、書込要求を送出して、処理を終了する（ステップＳ２０８）。
【００５５】
ステップＳ２０３で、後行紙が２部目以降の２枚目であるときには、ＣＰＵ８１は、不揮発ＲＡＭ８４から先行紙の情報を読み出して当該先行紙のサイズ（先行紙サイズ）が当該後行紙のサイズ（自身紙サイズ）よりも大きいかチェックし（ステップＳ２０４）、先行紙サイズが自身紙サイズ以下であると、当該後行紙が先行紙に追突するおそれがないため、書込要求を送出して、処理を終了する（ステップＳ２０８）。
【００５６】
ステップＳ２０４で、先行紙サイズが自身紙サイズよりも大きいときには、ＣＰＵ８１は、巻き付きタイマがセットされているかチェックし（ステップＳ２０５）、巻き付きタイマがセットされていないときには、図３の処理で用紙の追突が発生せず、巻き付きタイマのセットが不要であると判断されているので、書込要求を送出して、処理を終了する（ステップＳ２０８）。
【００５７】
ステップＳ２０５で、巻き付きタイマがセットされているときには、ＣＰＵ８１は、待つフラグをセットして（ステップＳ２０６）、図５に示すタイマ処理で待ちフラグが解除されるのを待ち（ステップＳ２０７）、待ちフラグが解除されると、書込要求を送出して、処理を終了する（ステップＳ２０８）。
【００５８】
そして、図５のタイマ処理では、ＣＰＵ８１は、所定時間間隔毎に、巻き付きタイマをデクリメントして（ステップＳ３０１）、予め設定されている巻き付きタイマ時間をカウントしてタイムアップしたかチェックし（ステップＳ３０２）、この処理を巻き付きタイマがタイムアップするまで継続する（ステップＳ３０１、Ｓ３０２）。
【００５９】
ステップＳ３０２で、タイムアップすると、ＣＰＵ８１は、待ちフラグがセットされているかチェックし（ステップＳ３０３）、待ちフラグがセットされていないときには、ステップＳ３０１に戻って同様の処理を継続する。
【００６０】
ステップＳ３０３で、待ちフラグがセットされていると、ＣＰＵ８１は、当該待ちフラグを解除し（ステップＳ３０１）、ステップＳ３０１に戻って同様の処理を継続する。
【００６１】
このように、本実施例の画像形成装置１は、後処理装置１００で後処理を行わせる場合に、画像形成する先行紙に関する情報を不揮発ＲＡＭ８４に記憶し、後行紙に関する情報と当該先行紙の情報に基づいて、当該後行紙をレジストローラ１２の位置で停止させる後行紙停止処理を行う必要があるか否かを判断し、当該後行紙停止処理を行う場合には、必要な待ち時間を設定して当該待ち時間だけ当該後行紙を停止させている。
【００６２】
したがって、後処理装置１００の巻き付き機構１０１で巻付きを行わない大サイズの転写紙Ｐの後に巻付きを行う小サイズの転写紙Ｐを搬送して、後処理装置１００でステープル処理やシフトソート等の転写紙Ｐを一旦停止させて後処理を行うときに、後処理装置１００内で転写紙Ｐが追突するのを適切に防止することができ、転写紙Ｐの搬送性能を向上させて、利用性を向上させることができる。
【００６３】
また、本実施例の画像形成装置１は、先行紙がレジストローラ１２を通過する時点で、当該先行紙の情報を不揮発ＲＡＭ８４に格納するとともに、必要な待ち時間を計時する待ち時間タイマである巻き付きタイマをセットし、後行紙が書込要求ポイント（書込要求位置）Ｐｗに到達すると、当該後行紙に関する情報と不揮発ＲＡＭ８４の先行紙の情報に基づいて、後行紙停止処理を行う必要があるか否か判断し、後行紙停止処理を行う場合には、巻き付きタイマをスタートさせて、巻き付きタイマが待ち時間を計時する間、後行紙を停止させている。
【００６４】
したがって、先々行紙またはもっと先の転写紙Ｐの情報が不揮発ＲＡＭ８４に残って、誤った制御を行うことを防止することができ、後処理装置１００内で転写紙Ｐが追突するのをより一層適切に防止することができ、転写紙Ｐの搬送性能を向上させることができる。
【００６５】
さらに、本実施例の画像形成装置１は、待ち時間だけ書込要求の発生を遅らせることで、後行紙の停止処理を行っている。
【００６６】
したがって、停止させる必要のある後行紙を適切かつ確実にレジストローラ１２で停止させることができ、後処理装置１００内で転写紙Ｐが追突するのを適切にかつ確実に防止することができ、転写紙Ｐの搬送性能を向上させることができる。
【００６７】
また、本実施例の画像形成装置１は、後処理装置１００以外の排紙場所へ画像形成済みの転写紙Ｐを排紙する他排紙口である１ビン排紙部３４、本体排紙口３５及び両面ユニットへ排紙する場合には、後行紙停止処理を中止している。
【００６８】
したがって、本来不要な待ち情報をセットして、後行紙の待ち判定に誤った影響を与えたり、本来不要な待ち時間をセットして生産性が低下するのを防止することができる。
【実施例２】
【００６９】
図６〜図９は、本発明の画像形成装置の第２実施例を示す図であり、本実施例は、第１実施例の画像形成装置１と同様の画像形成装置に適用したもので、本実施例の説明においては、上記第１実施例の説明で用いた符号をそのまま用いて説明する。
【００７０】
本実施例の画像形成装置１は、先行紙がレジストスタートポイントＰｒに到達した時点で先行紙の情報を不揮発ＲＡＭ８４に格納し、追突防止に必要なタイマをスタートさせる。
【００７１】
すなわち、画像形成装置１は、図６に示すように、先行紙に対しては、図３に示すように、先行紙がレジストスタートポイントＰｒに到達すると（ステップＳ４０１）、ＣＰＵ８１が、先行紙が操作部６１での設定が後処理装置１００でシフトソート処理またはステープル処理を行う設定、すなわち、シフトソート処理またはステープル処理を行うための後処理装置１００への排紙であるかをチェックし（ステップＳ４０２）、操作部６１での設定が後処理装置１００でシフトソート処理やステープル処理を行う設定でないときには、そのままレジストスタートを行って、処理を終了する。
【００７２】
ステップＳ４０２で、先行紙が後処理装置１００でシフトソート処理またはステープル処理を行う設定であると、ＣＰＵ８１は、当該先行紙のグローバル情報として、用紙サイズ情報、後処理装置１００での処理（シフトソート処理またはステープル処理等）を不揮発ＲＡＭ８４に格納し（ステップＳ４０３）、レジスト通過時間タイマ（経過時間タイマ）をリセットして（ステップＳ４０４）、レジストスタートを行って、処理を終了する。
【００７３】
このレジスト通過時間タイマは、常に所定の設定時間としてのレジスト通過時間を計時するもので、図７に示すように計時処理を行う。なお、本実施例では、レジスト通過時間として、桁あふれ時間がレジスト通過時間タイマの最大値として設定されている。図７において、ＣＰＵ８１は、所定時間間隔毎に、レジスト通過時間タイマが最大値になっているかチェックし（ステップＳ５０１）、レジスト通過時間タイマが最大値になっていないときには、レジスト通過時間タイマをインクリメントして（ステップＳ５０２）、再度、レジスト通過時間タイマが最大値になっているかチェックする（ステップＳ５０１）。ステップＳ５０１で、レジスト通過時間タイマが最大値になっていると、ＣＰＵ８１は、再度、レジスト通過時間タイマが最大値になっているかチェックする（ステップＳ５０１）。
【００７４】
そして、このレジスト通過時間タイマは、先行紙がシフトソート処理またはステープル処理であるときに、図６のステップＳ４０４でリセットされる。すなわち、レジスト通過時間タイマ処理では、先行紙がシフトソート処理またはステープル処理を行う転写紙Ｐであるときには、レジストスタートと同時、すなわち、レジストローラ１２を通過した時点で、レジスト通過時間タイマをリセットして、レジストスタートからの経過時間を計時する。
【００７５】
そして、画像形成装置１は、後行紙に対しては、図８に示すように、後行紙が図１の書込要求ポイントＰｗに到達すると（ステップＳ６０１）、ＣＰＵ８１が、当該後行紙（自身）がステープル処理またはシフトソート処理を行う転写紙Ｐであるかチェックし（ステップＳ６０２）、ステープル処理とシフトソート処理のいずれをも行わない場合には、後行紙が先行紙に追突するおそれがないため、書込要求を送出して、処理を終了する（ステップＳ６１０）。
【００７６】
ステップＳ６０２で、後行紙がステープル処理またはシフトソート処理を行う転写紙Ｐであるときには、ＣＰＵ８１は、当該後行紙が２部目以降の２枚目の転写紙Ｐであるかチェックし（ステップＳ６０３）、後行紙が２部目以降の２枚目の転写紙Ｐでないときには、当該後行紙が先行紙に追突するおそれがないため、書込要求を送出して、処理を終了する（ステップＳ６１０）。
【００７７】
ステップＳ６０３で、後行紙が２部目以降の２枚目であるときには、ＣＰＵ８１は、後行紙が小サイズであるかチェックし（ステップＳ６０４）、小サイズでないときには、書込要求を送出して、処理を終了する（ステップＳ６１０）。
【００７８】
ステップＳ６０４で、後行紙が小サイズのときには、ＣＰＵ８１は、不揮発ＲＡＭ８４から先行紙の情報を読み出して当該先行紙のサイズ（先行紙サイズ）が当該後行紙のサイズ（自身紙サイズ）よりも大きいかチェックし（ステップＳ６０５）、先行紙サイズが自身紙サイズ以下であると、当該後行紙が先行紙に追突するおそれがないため、書込要求を送出して、処理を終了する（ステップＳ６１０）。
【００７９】
ステップＳ６０５で、先行紙サイズが自身紙サイズよりも大きいときには、ＣＰＵ８１は、図７のレジスト通過時間タイマ処理で計時している先行紙レジスト経過時間をＢとし、後行紙巻き付き待ち時間（待ち時間）をＡとして（ステップＳ６０６）、後行紙巻き付き待ち時間Ａが先行紙レジスト経過時間Ｂよりも大きい（長い）かを判別し（ステップＳ６０７）、後行紙巻き付き待ち時間Ａが先行紙レジスト経過時間Ｂ以下のときには、当該後行紙が先行紙に追突するおそれがないため、書込要求を送出して、処理を終了する（ステップＳ６１０）。
【００８０】
ステップＳ６０７で、後行紙巻き付き待ち時間Ａが先行紙レジスト経過時間Ｂよりも大きいときには、ＣＰＵ８１は、後行紙巻き付き待ち時間Ａから先行紙レジスト経過時間Ｂを減算した差時間（Ａ−Ｂ）を差タイマにセットし、待ちフラグをセットして（ステップＳ６０８）、図９に示す差タイマ処理で待ちフラグが解除されるのを待ち（ステップＳ６０９）、待ちフラグが解除されると、書込要求を送出して、処理を終了する（ステップＳ６１０）。
【００８１】
そして、図９の差タイマ処理では、ＣＰＵ８１は、所定時間間隔毎に、差タイマをデクリメントして（ステップＳ７０１）、差タイマにセットされている差時間をカウントしてタイムアップしたかチェックし（ステップＳ７０２）、タイムアップしていないときには、この処理を差タイマがタイムアップするまで継続する（ステップＳ７０１、Ｓ７０２）。
【００８２】
ステップＳ７０２で、差タイマがタイムアップすると、ＣＰＵ８１は、待ちフラグがセットされているかチェックし（ステップＳ７０３）、待ちフラグがセットされていないときには、ステップＳ７０１に戻って同様の処理を継続する。
【００８３】
ステップＳ７０３で、待ちフラグがセットされていると、ＣＰＵ８１は、当該待ちフラグを解除し（ステップＳ７０１）、ステップＳ７０１に戻って同様の処理を継続する。
【００８４】
このように、本実施例の画像形成装置１は、先行紙がレジストローラ１２を通過する時点で、当該先行紙の情報を不揮発ＲＡＭ８４に格納するとともに、当該先行紙がレジストローラ１２を通過してからの経過時間を計時するレジスト通過時間タイマ（経過時間タイマ）をスタートさせ、後行紙が書込要求ポイントＰｗに到達すると、後行紙に関する情報と不揮発ＲＡＭ８４の先行紙の情報に基づいて、後行紙停止処理を行う必要があるか否か判断し、後行紙停止処理を行う場合には、レジスト通過時間タイマの計時結果に基づいて必要な待ち時間を設定して、当該待ち時間だけ当該後行紙を停止させている。
【００８５】
したがって、どういう情報を持つ先行紙がレジストローラ１２を通過してからどれだけの時間が経過したかという情報を必要に応じて使用して、後行紙停止処理と待ち時間の設定を行うことができ、より一層適切な待ち時間を設定したり、不必要な待ち処理を行うことを防止して、利用性を向上させることができる。
【００８６】
また、本実施例の画像形成装置１は、先行紙がレジストローラ１２を通過する時点で、当該先行紙の情報を不揮発ＲＡＭ８４に格納するとともに、当該先行紙がレジストローラ１２を通過してからの経過時間を計時するレジスト通過時間タイマ（経過時間タイマ）をスタートさせ、後行紙が書込要求ポイントＰｗに到達すると、不揮発ＲＡＭ８４の先行紙の情報に基づいて、後行紙停止処理を行う必要があるか否か判断し、後行紙停止処理を行う場合には、後行紙に対して必要な待ち時間である後行紙巻き付き待ち時間Ａをセットして、後行紙巻き付き待ち時間Ａからレジスト通過時間タイマの計時する経過時間である先行紙レジスト経過時間Ｂを減算した差時間だけ当該後行紙を停止させている。
【００８７】
したがって、より一層適切な待ち時間を設定することができるとともに、不必要な待ち処理を行うことを防止することができ、より一層利用性を向上させることができる。
【００８８】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８９】
ステープル処理、シフトソート処理等の処理を行うために用紙を一旦停止させる処理を行うとともに、小サイズ紙を巻き付けて用紙の追突を防止する巻き付き機構を有する後処理装置の接続される画像形成装置一般に適用することができる。
【図面の簡単な説明】
【００９０】
【図１】本発明の画像形成装置の第１実施例を適用した画像形成装置の搬送系及び後処理装置の用紙入口部分の概略構成図。
【図２】図１の画像形成装置の要部ブロック構成図。
【図３】図１の画像形成装置による先行紙に対する用紙搬送制御処理を示すフローチャート。
【図４】図１の画像形成装置による後行紙に対する用紙搬送制御処理を示すフローチャート。
【図５】図４でセットされる巻き付きタイマのタイマ処理を示すフローチャート。
【図６】本発明の画像形成装置の第２実施例を適用した画像形成装置による先行紙に対する用紙搬送制御処理を示すフローチャート。
【図７】図６でリセットされるレジスト通過時間タイマ処理を示すフローチャート。
【図８】本発明の画像形成装置の第２実施例を適用した画像形成装置による後行紙に対する用紙搬送制御処理を示すフローチャート。
【図９】図８でセットされる差タイマのタイマ処理を示すフローチャート。
【符号の説明】
【００９１】
１  画像形成装置
１０  搬送路
１１ａ〜１１ｄ  搬送ローラ群
１２  レジストローラ
１３ａ〜１３ｄ、１４、１５  用紙センサ
２０  給紙部
２１  手差し給紙部
２２  ＬＣＴ
２３ａ〜２３ｄ  給紙段
２４ａ〜２４ｄ  送り出しローラ
２５  送り出しローラ
３０  画像形成部
３１  感光体ドラム
３２  転写ベルト
３３  定着部
３４  １ビン排紙部
３５  本体排紙口
３６、３７  排紙ローラ
３８  搬送ローラ
３９  排紙ローラ
４０  定着出口用紙センサ
４１  排紙センサ
４２、４３  中継用紙センサ
５０  両面ユニット
５１  反転ローラ対
５２  搬送ローラ
５３  両面入口用紙センサ
５４  両面出口用紙センサ
Ｐｗ  書込要求ポイント
Ｐｒ  レジストスタートポイント
１００  後処理装置
１０１  巻き付き機構
１０２  通常搬送路
１０３  上搬送部
【図１】
2007052181.tif 000003
【図２】
2007052181.tif 000004
【図３】
2007052181.tif 000005
【図４】
2007052181.tif 000006
【図５】
2007052181.tif 000007
【図６】
2007052181.tif 000008
【図７】
2007052181.tif 000009
【図８】
2007052181.tif 000010
【図９】
2007052181.tif 000011